(57)【特許請求の範囲】
【請求項１】
１つの流出口と複数の流入口とを有するます本体、前記ます本体の上部を開閉するための蓋、および各流入口の間を区画する仕切板を有する仕切体を備える合流ますにおいて、
前記蓋は、同軸で形成される有頂円筒状の内筒部と当該内筒部の外面から突出する鍔部とを有し、
前記ます本体内に負圧が生じたとき外部の空気を前記ます本体内に流入させる一方通気弁が、前記内筒部に内蔵されていることを特徴とする、合流ます。
【請求項２】
外部と前記一方通気弁とを連通させる通気口が前記内筒部の側面に形成される、請求項１記載の合流ます。
【請求項３】
１つの流出口と複数の流入口とを有するます本体、前記ます本体の上部を開閉するための蓋、および各流入口の間を区画する仕切板を有する仕切体を備える合流ますにおいて、
前記ます本体内に負圧が生じたとき外部の空気を前記ます本体内に流入させる一方通気弁を備え、
前記ます本体または前記蓋は、支持部を備え、
前記仕切体は、前記支持部と当接する当接部を備え、
前記支持部と前記当接部との当接によって前記仕切体の上下方向が固定されることを特徴とする、合流ます。
【請求項４】
前記蓋によって前記ます本体の上部が閉じられたとき、前記蓋の下端に設けられた支持部と前記仕切体の上端に設けられた当接部とが当接することによって、前記仕切体が固定される、請求項３記載の合流ます。
【請求項５】
請求項３または４記載の合流ますに用いられる仕切体であって、
１つの流出口と複数の流入口とを有する前記合流ますのます本体の各流入口を区画する仕切板、および
前記合流ますのます本体または蓋に設けられる支持部と当接する当接部を備え、
前記仕切板は、前記流入口に対向する主面を有し、前記主面の下端中央から上方および両側方に向かうに伴い前記流入口に向かって湾曲する板状体に形成されることを特徴とする、仕切体。
【発明の詳細な説明】
【技術分野】
【０００１】
この発明は合流ますに関し、特にたとえば、各流入口の間を区画する仕切板を備える、合流ますに関する。
【背景技術】
【０００２】
従来のこの種の合流ますの一例が特許文献１に開示される。特許文献１の技術は、ます本体に１つの流出口と複数の流入口とを有する合成樹脂製集合ますである。ます本体の上部は蓋によって閉塞され、蓋には、複数の流入口のます本体開口側を区画する仕切体が設けられる。仕切体は、上下方向の放射状仕切板と当該仕切板の隣同士に亘る逆Ｌ字状天板とによって形成されている。
【特許文献１】特許第３７９１７７０号［Ｅ０３Ｆ  ５／１０］
【発明の概要】
【発明が解決しようとする課題】
【０００３】
特許文献１の技術では、放射状仕切板が上下方向にます本体内部を仕切るように設けられる。このため、ます本体内部に多数の独立した管路が形成される状態となり、流入口からます本体に流入した排水の通路が狭くなってしまう。したがって、一度に多量の排水がます本体に流入するような場合には、仕切体によって区画された部位から排水を排出しきれなくなって、ます本体内が満管状態になる恐れがある。ます本体内が満管状態になると、ます本体内に負圧が発生し、集合ますの上流側に設けられる排水トラップを破封してしまう。仕切体によって区画された部位における排水の通路を十分に確保し、満管状態を防ぐためには、特許文献１の技術では、ます本体の管径を大きくせざるを得ず、集合ますが大型になってしまう。
【０００４】
それゆえに、この発明の主たる目的は、上流側に設けられる排水トラップの破封を防ぐことができる、合流ますを提供することである。
【課題を解決するための手段】
【０００５】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【０００６】
請求項１の発明は、１つの流出口と複数の流入口とを有するます本体、ます本体の上部を開閉するための蓋、および各流入口の間を区画する仕切板を有する仕切体を備える合流ますにおいて、蓋は、同軸で形成される有頂円筒状の内筒部と当該内筒部の外面から突出する鍔部とを有し、ます本体内に負圧が生じたとき外部の空気をます本体内に流入させる一方通気弁が内筒部に内蔵されていることを特徴とする、合流ますである。
【０００７】
請求項１の発明では、合流ます（１０）は、ます本体（１２）、蓋（１６）および仕切体（１４）を備え、戸建住宅の床（１１０）下などに設置される。合流ますには、ます本体内に負圧が発生したときに、外部の空気をます本体内に流入させる一方通気弁（７２）が設けられる。
【０００８】
請求項１の発明によれば、ます本体内で負圧が発生しても、一方通気弁を介して空気が取り入れられるので、ます本体内を大気圧に保つことができ、排水トラップの破封を防ぐことができる。
【０００９】
請求項２の発明は、請求項１の発明に従属し、外部と一方通気弁とを連通させる通気口が内筒部の側面に形成される。
【００１０】
請求項３の発明は、１つの流出口と複数の流入口とを有するます本体、ます本体の上部を開閉するための蓋、および各流入口の間を区画する仕切板を有する仕切体を備える合流ますにおいて、ます本体内に負圧が生じたとき外部の空気をます本体内に流入させる一方通気弁を備え、ます本体または蓋は、支持部を備え、仕切体は、支持部と当接する当接部を備え、支持部と当接部との当接によって仕切体の上下方向が固定されることを特徴とする、合流ますである。
【００１１】
請求項３の発明では、合流ます（１０）は、ます本体（１２）、蓋（１６）および仕切体（１４）を備え、戸建住宅の床（１１０）下などに設置される。合流ますには、ます本体内に負圧が発生したときに、外部の空気をます本体内に流入させる一方通気弁（７２）が設けられる。また、ます本体または蓋には、たとえば、仕切体を支持するための支持部（３０ａ，３４ａ，６４ａ，１２２）が形成される。また、仕切体には、支持部と当接する当接部（４６，５０ａ，５６，１２６）が形成される。仕切体は、支持部と当接部とが当接することによって、その上下方向が固定される。
【００１２】
請求項３の発明によれば、ます本体内で負圧が発生しても、一方通気弁を介して空気が取り入れられるので、ます本体内を大気圧に保つことができ、排水トラップの破封を防ぐことができる。また、支持部と当接部とが当接することによって仕切体の上下方向が固定されるので、ます本体内に流入した排水が仕切板にぶつかったとき等の仕切体のがたつきを防止できる。
【００１３】
請求項４の発明は、請求項３の発明に従属し、蓋によってます本体の上部が閉じられたとき、蓋の下端に設けられた支持部と仕切体の上端に設けられた当接部とが当接することによって、仕切体が固定される。
【００１４】
請求項４の発明では、ます本体（１２）に設けられた支持部（３０ａ，３４ａ）によって仕切体（１４）が支えられる。そして、蓋（１６）によってます本体の上部が閉じられたとき、蓋（１６）の下端に設けられた支持部（６４ａ）と仕切体の上端に設けられた当接部（４６，５０ａ，１２６）とが当接し、蓋によって仕切体が押さえられる。つまり、ます本体と蓋とによって仕切体を挟むことで、仕切体は固定される。これによって、ます本体内に流入した排水が仕切板にぶつかったとき等の仕切体のがたつきを防止できる。
【００１５】
請求項５の発明は、請求項３または４記載の合流ますに用いられる仕切体であって、１つの流出口と複数の流入口とを有する合流ますのます本体の各流入口を区画する仕切板、および合流ますのます本体または蓋に設けられる支持部と当接する当接部を備え、仕切板は、流入口に対向する主面を有し、主面の下端中央から上方および両側方に向かうに伴い流入口に向かって湾曲する板状体に形成されることを特徴とする、仕切体である。
【発明の効果】
【００１６】
この発明によれば、ます本体内で負圧が発生しても、一方通気弁を介して空気が取り入れられるので、ます本体内を大気圧に保つことができ、排水トラップの破封を防ぐことができる。
【００１７】
この発明の上述の目的、その他の目的、特徴および利点は、図面を参照して行う後述の実施例の詳細な説明から一層明らかとなろう。
【図面の簡単な説明】
【００１８】
【図１】この発明の一実施例の合流ますによって排水主管と排水枝管とを接続した状態を示す断面図である。
【図２】図１の合流ますを示す断面図である。
【図３】図１の合流ますを示す斜視図である。
【図４】図１の合流ますが備えるます本体を示す斜視図である。
【図５】図４のます本体を示す平面図である。
【図６】図４のます本体を示す側面図である。
【図７】図５のVII−VII線におけるます本体の断面を示す断面図である。
【図８】図１の合流ますが備える仕切体を示す斜視図である。
【図９】図８の仕切体を示す平面図である。
【図１０】図８の仕切体を示す底面図である。
【図１１】図８の仕切体を示す側面図である。
【図１２】図８の仕切体を他の側方から見た外観を示す側面図である。
【図１３】図９のXIII−XIII線における仕切体の断面を示す断面図である。
【図１４】図１の合流ますが備える蓋を示す斜視図である。
【図１５】図１４の蓋を示す平面図である。
【図１６】図１４の蓋を示す側面図である。
【図１７】この発明の他の実施例の合流ますが備えるます本体を示す斜視図である。
【図１８】図１７のます本体を示す側面図である。
【図１９】図１８のXIX−XIX線における図１７のます本体の断面を示す断面図である。
【図２０】この発明の他の実施例の合流ますが備える仕切体を示す斜視図である。
【図２１】図２０の仕切体を示す側面図である。
【図２２】図２１のXXII−XXII線における図２０の仕切体の断面を示す断面図である。
【図２３】図１７のます本体および図２０の仕切体を備える合流ますを示す断面図である。
【発明を実施するための形態】
【００１９】
図１を参照して、この発明の一実施例である合流ます１０は、戸建住宅などの床１１０下に設置されて、トイレや風呂などの住設機器から排出された生活排水を流す複数の排水枝管１２０と、生活排水を外部に排出する排水主管１１６とを繋ぐ。図１−図３に示すように、合流ます１０は、ます本体１２、仕切体１４および蓋１６を含み、塩化ビニル等の合成樹脂によって形成される。合流ます１０は、ます本体１２の側方から流入した排水をます本体１２の下方へ排出する、いわゆるドロップますである。
【００２０】
図４−図７に示すように、ます本体１２は、射出成形などによって形成され、円筒形状の側壁部１８を含む。側壁部１８の内径は、たとえば１５５ｍｍである。側壁部１８の外面には、上下方向に延びる複数のリブ２０が設けられており、このリブ２０によって側壁部１８の剛性が高められると共に、軽量化が図られる。側壁部１８の上端は開口しており、そこに上端開口部２２が形成される。上端開口部２２には、外側に向かって突出する係合部２４が設けられ、後述する蓋１６が着脱自在に接続される。蓋１６を取り外した際には、上端開口部２２は点検口として利用される。
【００２１】
側壁部１８の下部には、テーパ状の底壁部２６が形成され、底壁部２６の上面、すなわちます本体１２の底面は中心方向に向かって下り勾配となる。側壁部１８の上端から底壁部２６の下端までの高さ（つまり、基礎１１４から出るます本体１２の高さ）は、たとえば１５０ｍｍに設定される。また、底壁部２６の中心には、円筒形状の流出口２８が下側に延びて形成される。流出口２８の外径は、排水主管１１６の内径と同じ或いはほぼ同じであって、たとえば１０６ｍｍである。流出口２８の高さは、たとえば４０ｍｍに設定される。
【００２２】
また、側壁部１８には、段差部３０が設けられ、段差部３０側を除く３方側のそれぞれに、流入口３２が設けられる。段差部３０は、側壁部１８の内面に沿って突出するように設けられ、ます本体１２の中心方向に向かって下り勾配となる上面を有する。段差部３０の内部は空洞となっており、これによって段差部３０で肉厚となることによるます本体１２の成形性の低下を防ぐ。また、段差部３０の両側端上部のそれぞれは段差状になっており、そこに第１支持部３０ａが形成される。さらに、側壁部１８内面の第１支持部３０ａに対向する位置には、上下方向に延びる２つの突起部３４が設けられ、その上端が第２支持部３４ａとなる。
【００２３】
流入口３２は、受口構造を有する円筒形状に形成され、その内径はたとえば９０ｍｍである。また、流入口３２の外面端部には、係止溝３６が設けられる。
【００２４】
このようなます本体１２の内部には、各流入口３２の間を区画する仕切板４４を有する仕切体１４が着脱自在に設けられる。図８−図１３に示すように、仕切体１４は、射出成形などによって形成され、中心軸３８を備える。中心軸３８は、円筒形状に形成される中空軸であって、その側面には、上下方向に延びかつ放射状に延びる４つの支持板４０が形成される。これらの支持板４０が形成される４つの方向は、ます本体１２の側壁部１８に形成される１つの段差部３０および３つの流入口３２の方向と一致する。
【００２５】
これらの４つの支持板４０のうち、段差部３０と同一方向に形成される支持板４４の端部には、当接板４２が形成される。また、流入口３２と同一方向に形成される３つの支持板４４の端部のそれぞれには、仕切板４４が形成される。
【００２６】
当接板４２は、段差部３０と対向するように形成される板状体であって、その両側部の上部は、ます本体１２の段差部３０の両側端と沿う。そして、当接板４２の下部は中心軸３８に近づく方向に「く」字状に曲がり、段差部３０との間に空間を形成する。また、当接板４２の上端部には、中心軸３８から遠ざかる方向に向かって突出する第１当接部４６が形成される。この第１当接部４６は、段差状の第１支持部３０ａに沿う形状に形成され、第１当接部４６と第１支持部３０ａとは当接する（図２参照）。
【００２７】
仕切板４４は、流入口３２に対向する主面４８を有し、主面４８の下端中央４８ａから上方および両側方に向かうに伴い、流入口３２に向かって湾曲する板状体に形成される。また、仕切板４４の上部には、流入口３２のます本体１２中心側の開口部３２ａを庇状に覆う庇部５０が形成されている。
【００２８】
庇部５０の端部、つまり仕切板４４の側面上部５２ａは、流入口３２の開口部３２ａと同じ或いは少し大きい内径を有する半円形に形成され、流入口３２の開口部３２ａの上側半周に亘って、ます本体１２の側壁部１８の内面に沿う。つまり、仕切板４４の側面上部５２ａとます本体１２とは近接している。また、庇部５０の上面には、水平面となる頭頂部５０ａが形成されており、この頭頂部５０ａは後述する蓋１６の外筒部６４の下端６４ａと当接する。仕切板４４の高さ、すなわち仕切板４４の下面から頭頂部５０ａまでの高さは、たとえば１００ｍｍであって、流入口３２の内径よりも大きく設定される。したがって、流入口３２の底面よりも仕切板４４の下面の方が低くなる。このような仕切板４４（具体的には主面４８）は、流入口３２から流入する排水を案内して、排水の流れ方向を流出口２８の方向、すなわち下向きにスムーズに変化させる案内機能を有し、他の流入口３２への排水の逆流を防止する。
【００２９】
また、仕切板４４の側部は、庇部５０の下端が形成される位置から下部において、隣り合う他の仕切板４４または当接板４２の側部と一体となっている。その一体となった部分の端部、つまり仕切板４４の側面下部５２ｂは、その上端がます本体１２の側壁部１８の内面に沿い、下端に向かうに伴い中心軸３８の方向に向かって放物線を描くように湾曲する。つまり、仕切板１４の側面下部５２ｂとます本体１２の側壁部１８の内面とは離れており、その間には空間５４が形成される。この空間５４は、仕切板４４によって区画される排水の通路同士を、ます本体１２の周方向に連通する。
【００３０】
また、仕切板４４の側面下部５２ｂの上部には第２当接部５６が形成される。この第２当接部５６は、ます本体１２の第２支持部３４ａと当接する。仕切体１４をます本体１２に取り付けたときには、上述した第１当接部４６とこの第２当接部５６とが、ます本体１２の内壁部１８に設けられる第１支持部３０ａと第２支持部３４ａとによって支持される。
【００３１】
このような仕切体１４は、図９に示すように、平面視でその外周縁が円弧形を形成しており、その径はたとえば１５２ｍｍであって、ます本体１２の側壁部１８の内径（１５５ｍｍ）よりも若干小さく設定される。これは、ます本体１２への仕切体１４の取り付け易さを考慮すると共に、仕切板４４の側面上部５２ａとます本体１２の側壁部１８との間に隙間を設けることによって、その間の通気を確保するためである。なお、中心軸３８の内部や中心軸３８の周囲にも空間が形成されているので、ます本体１２の中心付近においても、この空間を介してます本体１２の上部と下部とは連通しており、ます本体１２内の空気は循環可能である。
【００３２】
また、ます本体１２の上部には、蓋１６が着脱自在に設けられる。図１４−図１７に示すように、蓋１６は、射出成形などによって形成され、有頂円筒状の内筒部５８を備える。内筒部５８の外面には、鍔部６０が形成され、この鍔部６０の下面がます本体１２の上端開口部２２と当接する。鍔部６０の下面から内筒部５８の上面までの高さは、たとえば４０ｍｍである。また、内筒部５８の内側面下部には、ねじ溝５８ａが形成される。さらに、内筒部５８には、鍔部６０よりも高い位置に、外部と後述する一方通気弁７２の第３連通孔１０４とを連通する通気孔６２が設けられる。
【００３３】
また、鍔部６０の下面には、円筒形状の外筒部６４が形成される。外筒部６４の外面は、ます本体１２の側壁部１８の内面に沿い（図２参照）、外筒部６４の外面に装着されるＯリング６６によって、ます本体１２の側壁部１８と外筒部６４の外面との間の気密性および水密性が保たれる。また、鍔部６０には、鍔部６０の端部と一体となって「コ」字状の断面形状を有する受部６８が形成され、受部６８上方の鍔部６０には確認孔７０が形成される。ます本体１２の上端開口部２２に蓋１６の外筒部６４を挿入し、受部６８の側方
からます本体１２の係合部２４を回し込むように、受部６８に係合部２４を挿入することによって、ます本体１２に蓋１６が取り付けられる。
【００３４】
このとき、外筒部６４の下面６４ａは仕切板４４の頭頂部５０ａと当接する（図２参照）。つまり、ます本体１２に仕切体１４と蓋１６とを取り付けたとき、仕切体１４は、ます本体１２の第１支持部３０ａおよび第２支持部３４ｂによって支持されると共に、蓋１６の外筒部６４によって押さえ込まれる状態となる。したがって、外筒部６４の下面６４ａが蓋１６の下端に設けられる支持部として機能し、仕切板４４の頭頂部５０ａが仕切体１４の上端に設けられる当接部として機能する。このように、仕切体１４をます本体１２と蓋１６とによって挟むことで、仕切体１４はしっかりと固定されるので、ます本体１２への排水流入時に排水が仕切体１４にぶつかる等しても、仕切体１４はがたつかない。
【００３５】
また、蓋１６には一方通気弁７２が設けられる。一方通気弁７２は、蓋１６とは別体として形成されて、蓋１６の内筒部５８の内部に取り付けられる。
【００３６】
このような合流ます１０は、上述したように戸建住宅などの床１１０下に設置される。具体的には、図１に示すように、基礎壁１１２近くの基礎１１４上に合流ます１０を配管する。合流ます１０を配管する際には、基礎１１４を貫通する排水主管１１６の端部に９０°エルボ等の曲がり継手１１８の一方端を接続し、その曲がり継手１１８の他端に流出口２８を接着接合等することによって、合流ます１０と排水主管１１６とを接続する。排水主管１１６は、基礎１１４を貫通して下水管（図示せず）などに繋がる管であって、合成樹脂などで形成される直管または可とう性を有する管などが用いられる。
【００３７】
また、流入口３２には、接着接合等によって排水枝管１２０を接続する。排水枝管１２０は、住設機器（図示せず）と繋がる管であって、合成樹脂などで形成される直管または可とう性を有する管などが用いられる。この実施例では３つの流入口３２を有するので、合流ます１０には３つの排水枝管１２０が接続される。なお、合流ます１０に２つの排水枝管１２０を接続し、排水枝管１２０を接続しない流入口３２があるような場合には、係止溝３６を利用して流入口３２にキャップ（図示せず）が取り付けられ、排水の外部への流出が防止される。
【００３８】
このように合流ます１０を設置すると、住設機器から排出された排水は、排水枝管１２０を介してます本体１２内に流入する。比較的少量の排水が排水枝管１２０からます本体１２に流入した場合には、排水は自重によって、また仕切板４４の案内機能によって流れ方向を下向きに変え、流出口２８からスムーズに流出し、排水主管１１６を介して下水管等へ排出される。一方、一度に多量の排水がます本体１２に流入した場合には、排水は下方向に流れて流出口２８から流出すると共に、仕切板４４の側面下部５２ｂと側壁部１８との間の空間５４を通って周方向（横方向）にも流れる。つまり、下方向へ一度に排出しきれない排水は、横方向に流れて、ます本体１２内に一旦留められることになる。そして、横方向に流れた排水は、ます本体１２の側壁部１８の内面に沿うように流れ、重力によってその流れ方向を下向きに変え、先の排水とは時間差をつけて流出口２８から排出される。言い換えると、一度に多量の排水がます本体１２に流入した場合には、各流入口３２に対応する仕切板４４によって区画された排水の通路だけでなく、他の流入口３２に対応する排水の通路や段差部３０と当接板４２と間の通路を利用して、排水を排出することができ、ます本体１２内での満管状態の発生を防止できる。
【００３９】
したがって、この実施例によれば、仕切板４４によって区画された部位における排水の通路を確保して満管状態を防止するために、ます本体１２の管径を大きくとる必要がなく、合流ます１０を小型化できる。
【００４０】
また、流出口２８をます本体１２の下面に設けるドロップますとしたので、排水を横方向に排出する合流ますと比較して、その高さを低くすることができる。この実施例では、基礎１１４から出る集合ます１０の高さは１９０ｍｍであるので、一般的な床下高さである３００ｍｍ−４００ｍｍの床下高さに余裕をもって対応できる。
【００４１】
さらに、仕切体１４と蓋１６とを別部材としたので、点検等を行うために蓋１６や仕切体１４を取り外すときに要する高さを低くできる。たとえば、特許文献１の集合ますでは、ます本体の高さが約２００ｍｍであり、仕切体の高さは約１００ｍｍ（蓋と仕切体とを一体化した場合には約１４０ｍｍ）である。したがって、床下高さが３００ｍｍである場合には、作業者の手の入る寸法を考慮すると、その寸法間で仕切体を着脱することが事実上不可能である。そのため、特許文献１の集合ますでは、点検作業を行うための点検口を床に設け、その下に集合ますを配置しなければならない。この点において、この実施例の合流ます１０では、基礎１１４から出るます本体１２の高さが１５０ｍｍであり、仕切体１４の高さが１００ｍｍであるので、床に設けた点検口から点検作業を行わなくてもよい。つまり、作業者が床下に入り、そこで仕切体１４を取り外して、点検作業や清掃を行うことができる。また、床に設けた点検口の下に配置するという制限が無いので、合流ます１０を基礎壁１１２近くなどの適宜な場所に配置することができ、床下空間をその他の用途に有効利用できる。
【００４２】
また、ます本体１２を放射状に４分割した内の３方向に流入口３２を設け、１方向に段差部３０を設けるというように、ます本体１２の或る方向の形状を他の方向の形状と異ならせ、その段差部３０に対向する当接板４２を仕切体１４に設けたので、ます本体１２に仕切体１４を取り付けるときの位置合わせを容易に行うことができる。具体的には、ます本体１２の内壁部１８の内面を平面視で完全な円形とするのではなく、その一部に段差部３０の第１支持部３０ａのような段差状の直線部分を設け、その第１支持部３０ａに沿う第１当接部４６を仕切体１４の当接板４２に設けることによって、第１支持部３０ａと第１当接部４６とが当接されると仕切体１４が位置決めされるようになる。したがって、段差部３０が仕切体１４をガイドする機能を果たし、床１１０下などの狭くて暗い空間においても、ます本体１２に仕切体１４を容易に取り付けることができる。
【００４３】
また、蓋１６に一方通気弁７２を設けたので、流入口３２から一度に多量の排水が流入し、空間５４を介して排水を横方向に流しても排水を適切に排出しきれずに、ます本体１２内に負圧が発生した場合でも、外部から空気を取り入れて、ます本体１２内を大気圧に保つことができる。したがって、流入口の上流側に設けられる排水トラップ（図示せず）の破封を防止できる。
【００４４】
また、流入口３２のます本体１２中心側の開口部３２ａの上半分を仕切板４４の庇部５０によって庇状に覆うので、排水がます本体１２内に勢いよく流入したときの排水の跳ね上げを確実に防止でき、蓋１６などの汚れを防止できる。
【００４５】
なお、上述の実施例では、仕切体１４は、ます本体１２の第１支持部３０ａおよび第２支持部３４ａによって支持されると共に、蓋１６の外筒部６４によって押さえられることによって固定されたが、これに限定されない。他と実施例として、たとえば、ます本体１２においては、図１７−図１９に示すように、段差部３０の上面および第１支持部３０ａを流入口３２の開口部３２ａよりも高い位置に設ける。また、側壁部１８の内面から突出する第３支持部１２２を開口部３２ａよりも高い位置に設ける。この第３支持部１２２は、第１支持部３０ａ同士を結ぶように円弧状に形成され、第３支持部１２２の上面は、第１支持部３０ａの水平面と同一面となる。一方、仕切体１４においては、図２０−図２２に示すように、その外面が仕切板４８の側面上部５２ａと同一面となる壁部１２４を設ける。この壁部１２４は、当接板４２と一体となって略円筒形に形成され、壁部１２４の外面は側壁部１８の内面に沿う。また、壁部１２４の上端には、その全周に亘って、第１当接部４６と一体となって中心軸３８から遠ざかる方向に向かって突出する第３当接部１２６を設ける。図２３に示すように、ます本体１２に仕切体１４を取り付けたときには、この第３当接部１２６と上述の第３支持部１２２とが当接する。つまり、仕切体１４は、そのほぼ全周に亘って、ます本体１２によって支持されることになる。また、第３当接部１２６、第１当接部４６および段差部３０の各上面は、水平面を形成し、ます本体１２に蓋１６を取り付けたときには、第３当接部１２６、第１当接部４６および段差部３０の各上面と蓋１６の外筒部６４の下面６４ａとが当接し、蓋１６によって仕切体１４が押さえられて固定される。つまり、この場合には、仕切板４４の頭頂部５０ａが仕切体１４の上端に設けられる当接部として機能するのではなく、第３当接部１２６および第１当接部４６の各上面が仕切体１４の上端に設けられる当接部として機能する。
【００４６】
また、ます本体１２と蓋１６とによって仕切体１４を挟んで固定することにも限定されない。たとえば、ます本体１２の側壁部１８の内面に「コ」字状の断面形状を有する支持部を形成し、その支持部と嵌り合う当接部を仕切体１４に形成する。そして、ます本体１２の支持部の側方から仕切体１４の当接部を回し込むように挿入することによって支持部と当接部とを嵌め合い、支持部と当接部との当接によって仕切体１４を上下方向に固定するようにしてもよい。もちろん、「コ」字状の断面形状を有する当接部を仕切体１４に設け、その当接部に嵌りあう支持部をます本体１２に設けるようにしてもよい。また、これらのような支持部を蓋１６に設け、蓋１６に仕切体１４を取り付けて固定することもできる。
【００４７】
また、上述の実施例では、３つの流入口３２を設けたが、これに限定されず、２つの流入口３２を設けることもできるし、４つ以上の流入口３２を設けることもできる。この場合には、各流入口３２に対向する位置に仕切板４４が設けられる。また、段差部３０は、必ずしも設ける必要は無く、たとえばこの位置にさらに流入口３２を設けるようにしてもよい。この場合、段差部３０の第１支持部３０ａの代わりに、たとえば、ます本体１２の側壁部１８の内面の各流入口３２間には、第２支持部３４ａを設け、仕切体１４には、第２支持部３４ａに対応する位置に第２当接部５６を設けるとよい。
【００４８】
さらに、上述の実施例では、合流ます１０をドロップますとしたが、側方から排水を流出する合流ますにしてもよい。この場合には、たとえば、段差部３０の下部で第１支持部３０ａより下の位置に、流出口２８を設けると良い。ただし、仕切体１４の下を流れる排水の通路を確保するために、ドロップますとした場合と比較して、ます本体１２の高さを高くする必要がある。
【００４９】
また、上述の実施例では、仕切体１４の中心軸３８を中空軸にしたが、必ずしも中心軸３８を中空状にする必要は無い。また、中心軸３８の上部に、たとえばキャップ状のつまみ部を設けるようにしてもよい。つまみ部を設けることによって、仕切体１４が持ち易くなり、仕切体１４の着脱をより容易に行うことができる。
【００５０】
また、上述の実施例では、ます本体１２、仕切体１４および蓋１６のそれぞれを別体として形成し、それぞれを着脱可能に取り付けるようにしたが、仕切体１４は、ます本体１２と一体的に形成してもよいし、蓋１６と一体的に形成してもよい。
【００５１】
なお、上述した径や高さ等の具体的数値は、いずれも単なる一例であり、必要に応じて適宜変更可能である。
【符号の説明】
【００５２】
１０  …合流ます
１２  …ます本体
１４  …仕切体
１６  …蓋
２８  …流出口
３０  …段差部
３０ａ，３４ａ，６４ａ  …支持部
３２  …流入口
４２  …当接板
４４  …仕切板
４６，５０ａ，５６  …当接部
４８  …仕切板の主面
５２ａ  …仕切板の側面上部
５２ｂ  …仕切板の側面下部
【図１】
0005530420.tif 000002
【図２】
0005530420.tif 000003
【図３】
0005530420.tif 000004
【図４】
0005530420.tif 000005
【図５】
0005530420.tif 000006
【図６】
0005530420.tif 000007
【図７】
0005530420.tif 000008
【図８】
0005530420.tif 000009
【図９】
0005530420.tif 000010
【図１０】
0005530420.tif 000011
【図１１】
0005530420.tif 000012
【図１２】
0005530420.tif 000013
【図１３】
0005530420.tif 000014
【図１４】
0005530420.tif 000015
【図１５】
0005530420.tif 000016
【図１６】
0005530420.tif 000017
【図１７】
0005530420.tif 000018
【図１８】
0005530420.tif 000019
【図１９】
0005530420.tif 000020
【図２０】
0005530420.tif 000021
【図２１】
0005530420.tif 000022
【図２２】
0005530420.tif 000023
【図２３】
0005530420.tif 000024